(57)【特許請求の範囲】
【請求項１】
エアコン用のペアー冷媒管を設置する対象となる被取付体に対して取付固定される固定部と、該固定部に立設され、前記ペアー冷媒管を支持する支持材を係止するための係止部が形成された立設部とからなり、
前記立設部の上方からペアー冷媒管を押圧することによって、または、前記ペアー冷媒管の各冷媒管の間に挿入孔を形成した後、前記ペアー冷媒管の各冷媒管の間に前記立設部を挿通せしめ、前記ペアー冷媒管を支持することを特徴とするエアコン用冷媒管の支持部材。
【請求項２】
エアコン用のペアー冷媒管を設置する対象となる被取付体に対して前記冷媒管をカバー部材で被覆若しくは囲繞した状態で取付け支持できるエアコン用冷媒管の支持装置であって、
被取付体に対して取付け固定される固定部と、該固定部に立設されるとともに前記ペアー冷媒管を支持する支持材を係止するための係止部が形成され、前記立設部の上方からペアー冷媒管を押圧することによって、または、前記ペアー冷媒管の各冷媒管の間に挿入孔を形成した後、前記ペアー冷媒管の各冷媒管の間に挿通せしめて前記ペアー冷媒管を支持し得る立設部とからなる支持部材と、
前記立設部に支持された冷媒管を前記立設部とともに内部に収容すべく前記支持部材に固定されるカバー部材と
からなることを特徴とするエアコン用冷媒管の支持装置。
【発明の詳細な説明】
【０００１】
【発明の属する技術分野】
本発明は、例えば建物の壁等にエアコン用冷媒管を支持若しくは固定するために使用されるエアコン用冷媒管の支持部材及びエアコン用冷媒管の支持装置に関するものである。
【０００２】
【従来の技術】
従来、この様なエアコン用冷媒管の固定部材装置としては、特開平７−１９５２９号公報に掲載のものがある。これを図１１に斜視図で示す。
図において、この固定部材装置２０は、冷媒管（Ｐ）を把持する支持部材２１と、該支持部材２１を介在させ被取付体（Ｗ）に対して取付け固定される取付け部材２３と、被取付体（Ｗ）から一定間隔を開けた状態で設置され、前記冷媒管Ｐの周りを囲繞するカバー部材２２と、から構成されている。
【０００３】
【発明が解決しようとする課題】
しかしながら、上述した従来の技術で述べた固定部材にあっては、被取付体（Ｗ）に対して該被取付体（Ｗ）から一定間隔を開けた状態で配置固定できるものの、被取付体（Ｗ）に対して取付け部材を取付けした後、該取付け部材に、冷媒管（Ｐ）を把持する支持部材を被取付体（Ｗ）から一定間隔を開けた状態で配置固定し、そして、その後、前記冷媒管の周りにカバー部材を配置固定するため、面倒な多数部品の管理作業が必要であり、しかも、作業現場においてその都度、これらの部品の組付け作業を行う必要があるゆえ、これらの作業が面倒であり、且つ、作業効率が悪いという問題があった。
【０００４】
本発明は、従来の技術の有するこのような問題に鑑みなされたものであり、その目的とするところは、エアコン用冷媒管を簡単な作業により被取付体に対して確実に支持できるとともに、エアコン用冷媒管を、被取付体に障害物があってもこれを回避すべく、被取付体との設置間隔を自在かつ大幅に調整でき、外観的にも優れた、エアコン用冷媒管の支持部材、並びにエアコン用冷媒管の支持装置を提供せんとするものである。
【０００５】
【課題を解決するための手段】
上記目的を達成するために、本発明が採った手段は、叙上の特許請求の範囲に記載のとうりである。
【０００６】
すなわち、請求項１にかかる発明のエアコン用冷媒管の支持部材は、エアコン用のペアー冷媒管を設置する対象となる被取付体に対して取付固定される固定部と、該固定部に立設され、前記ペアー冷媒管を支持する支持材を係止するための係止部が形成された立設部とからなり、前記ペアー冷媒管の各冷媒管の間に前記立設部を挿通せしめ、これを支持するところに構成特徴を有するものであるから、面倒な多数部品の管理作業が不要で、しかも、作業現場において、前記ペアー冷媒管を簡単に支持（取付け）できる。すなわち、作業効率の向上が図れる。
【０００７】
そして、特に、前記立設部の上方からペアー冷媒管を押圧することによって、または、前記ペアー冷媒管の各冷媒管の間に挿入孔を形成した後、前記ペアー冷媒管の各冷媒管の間に挿通可能であるところに構成特徴を有するものであるから、より極めて簡単かつ迅速に前記ペアー冷媒管を支持することができ、配管設備工事を迅速かつ確実に実施できる。
【０００８】
つぎに、請求項４にかかる発明のエアコン用冷媒管の支持装置は、エアコン用のペアー冷媒管を設置する対象となる被取付体に対して前記冷媒管をカバー部材で被覆若しくは囲繞した状態で取付け支持できるエアコン用冷媒管の支持装置であって、
被取付体に対して取付け固定される固定部と、該固定部に立設されるとともに前記ペアー冷媒管を支持する支持材を係止するための係止部が形成され、前記ペアー冷媒管の各冷媒管の間に前記立設部を挿通せしめてこれを支持する立設部とからなる支持部材と、前記立設部に支持された冷媒管をこの立設部と共にその内部に収容すべく前記支持部材に固定されるカバー部材とからなる構成であるから、面倒な多数部品の管理作業が不要であり、しかも、作業現場において、エアコン用冷媒管を設置する対象となる被取付体に対して前記冷媒管をカバー部材で囲繞した状態で簡単に支持（取付け）できる。すなわち、作業効率の向上が図れる。
【０００９】
そして、特に、前記立設部の上方からペアー冷媒管を押圧することによって、または、前記ペアー冷媒管の各冷媒管の間に挿入孔を形成した後、前記ペアー冷媒管の各冷媒管の間に挿通可能であるから、より極めて簡単かつ迅速に前記ペアー冷媒管を支持することができ、配管設備工事を迅速かつ確実に実施できる。
【００１０】
【発明の実施の形態】
本発明に係るエアコン用冷媒管の支持部材並びにエアコン用冷媒管の支持部材装置の実施の形態を、実施例に基いてさらに詳細に説明するが、これは代表的なものを示したものであり、その要旨を越えない限り、以下の実施例により本発明が限定されるものではない。
【００１１】
図１は第一実施例のエアコン用冷媒管の支持部材１０を示す概略斜視図であり、図２は、第一実施例の冷媒管の支持部材１０を使用して、エアコン用のペア冷媒管を被取付体である壁Ｗに取付け固定した状態を説明するための説明図であり、図３は、第一実施例の冷媒管の支持部材１０を使用して、冷媒管の一例である空調配管Ｐを取り付け固定した状態を示す説明図であり、冷媒管外周の全面がカバー体で覆われている。
【００１２】
図において、第一実施例のエアコン用冷媒管の支持部材１０は、エアコン用冷媒管１を設置する対象となる被取付体に対して取付け固定される固定部２と、該固定部２に立設された立設部２ａとから構成されており、この立設部２ａには、前記冷媒管１を支持材３を介在させて支持すべく立設方向に段階的に設けられた複数の透孔４ａからなる係止部４と、が形成されている。
【００１３】
前記固定部２は、被取付体に対して支持部材１０を取付け固定すべく、その両端側に釘打ち若しくはネジ止め固定を可能とする穴２ｃ、２ｃが形成されている。  但し、被取付体に対する固定方法を限定するものではなく、例えば被取付体が型鋼材のような場合に対処すべく図４に示すようにボルトナット固定できるように構成されていもよく、例えば被取付体が壁内に埋設されたアンカーである場合に対処すべく図５、６に示すように当接鍔付若しくは当接鍔なしアンカー止め固定できるように構成されていてもよく、また、例えば被取付体が木材である場合に対処すべく図７、８に示すように被取付体に対して当接鍔付若しくは当接鍔なしの固定部を直接打ち込み若しくはネジ込み固定できるように構成されていてもよい。また、固定部は円形であっても楕円形であっても方形であっても構わない。
【００１４】
前記立設部２ａに支持せしめた冷媒管１の周りを被覆若しくは囲繞するカバー部材２２に対する取付部５が形成され、図３に示すように、この取付部５に前記カバー部材２２を備えることができるようになっている。図４乃至図８に示すように、前記立設部２ａに支持せしめた冷媒管１の周りを被覆若しくは囲繞するカバー部材（図示しない）が取付される取付部５を形成した構成とすることもできる。
【００１５】
前記係止部４は、前記立設部２ａの立設方向に段階的に穿設された複数の透孔４ａからなり、この複数の透孔４ａの中から適宜選択されたいずれかに、冷媒管１を支持する支持材３が係止され、被取付体に対して設置される冷媒管１を被取付体（壁等Ｗ）に対して所望する所定間隔をあけた状態で配置したまま支持若しくは固定される。但し、この係止部４を透孔４ａに限定するものではなく、冷媒管１を支持する支持材３を支持若しくは固定できればよく、他にはスリットや突起体等が例示できる。
【００１６】
前記支持材３とは、係止部４に冷媒管１を支持若しくは固定するために使用されるものであり、例えばタイバンドや、針金、ロープ等様々なものが例示でき、さらには、公知のクランプ部材を使用してもよい。
【００１７】
前記取付部５には、係止部４に支持せしめた冷媒管１の周りを被覆若しくは囲繞するカバー部材２２を取付すべく、前記立設部２ａの立設方向に長い長孔２ｂとして形成されている。そして、この長孔２ｂに、カバー部材２２に備えられた固定ビス２３が挿通され、該固定ビス２３を介してカバー部材２２が取付け固定される。
【００１８】
前記カバー部材２２は、冷媒管１の周りを被覆若しくは囲繞した状態で前記支持部材１０に設けた取付部５に固定されるものであり、前記取付部５において摺動自在に配置でき、被取付体に対して設置される冷媒管１を被取付体（壁等Ｗ）に対して所定間隔をあけた状態で固着される。但し、カバー部材２２の外観形状やその構成構造を限定するものではなく、従来公知のクランプ部材のごとくに構成されていてもよく、２分割体であってもよく、何分割体であっても構わない。
【００１９】
また、前記冷媒管１であるペアー冷媒管１ａは、立設部２ａの上方から押圧するだけで、前記ペアー冷媒管１ａの間に立設部２ａを挿通させて極めて簡単かつ迅速にこれを支持させることができるから、配管設備工事を迅速且つ確実に実施できる。
なお、前記ペアー冷媒管１ａにナイフ等で図示しない挿入孔を形成した後、立設部２ａを挿通させるものであっても構わないし、前記立設部２ａの先端が鋭角に加工されていてもよく、前記立設部２ａの先端を鈍刃を設けた鋭角に加工されていてもよく、釘形状に形成されていても構わない。
【００２０】
したがって、前記立設部２ａの挿通量を適宜調整することにより、被取付体に対して設置される冷媒管１を被取付体（壁等Ｗ）に対して所望する所定間隔をあけた状態で固着できる。  なお、前記立設部２ａをペアー冷媒管１ａとともにカバー部材２２で覆うことができる構成であると、これにより、カバー部材２２を小さくすることができるから好ましい。
【００２１】
ところで、請求項２の発明に係るエアコン用冷媒管の支持装置とは、上述した実施例で示された支持部材１０と、この支持部材１０に形成された取付部５を介して取付けされ冷媒管１の周りを被覆若しくは囲繞するカバー部材とから構成されたものを指し示している。
よって、本発明の冷媒管支持装置は、被取付体（壁等）に対して設置される冷媒管１を、該冷媒管１の全体をカバー部材で被覆若しくは囲繞した状態のまま、被取付体（壁等Ｗ）に対して所望する所定間隔をあけた状態に配置させこれを支持できる。
【００２２】
すなわち、本発明のエアコン用冷媒管の支持装置によれば、面倒な多数部品の管理作業が不要であるとか、作業現場において簡単且つ迅速に冷媒管を取付けでき、作業効率の向上が図れるとか、建物壁自体や壁の近傍等に冷媒管（Ｐ）を取付け固定する際の妨げとなる突起物のごとき障害物があったとしても該障害物を回避でき冷媒管の設置場所の拡大が図れるとか等、叙上の実施例のエアコン用冷媒管の支持部材と実質的に同一の優れた作用効果が得られる。
【００２３】
ところで、本発明のエアコン用冷媒管の支持部材は、前記実施例のエアコン用冷媒管の支持部材に限定されるものではなく、例えば図９に示すごとく固定部の中央部ではなく中央部から端部側にずれた位置に立設部を設けてもよく、さらに、図１０に示すごとく９０度ねじ曲げた形状に形成した立設部を固定部の中央部に備えてもよい等、本発明の趣旨から逸脱しない範囲で適宜設計変更して実施できる。
【００２４】
なお、図１０に示した、９０度ねじ曲げた形状に形成した立設部を固定部の中央部に備えたエアコン用冷媒管の支持部材において、ネジ固定位置がセンターに形成されていると、スミ出しがきわめて容易となるから好ましい。
【００２５】
【発明の効果】
本発明のエアコン用冷媒管の支持部材、及びエアコン用冷媒管の支持部材装置は極めて簡単な構造体であるから、廉価に提供できる。
【００２６】
また、本発明のエアコン用冷媒管の支持部材、及びエアコン用冷媒管の支持部材装置によれば、面倒な多数部品の管理作業が不要となり、且つ、作業現場において簡単且つ迅速に冷媒管を取付けできるので、かかる配管作業の作業性が向上する。
【図面の簡単な説明】
【図１】第一実施例の冷媒管支持部材を示す概略斜視図である。
【図２】第一実施例の冷媒管支持部材を使用して、冷媒管の一例である空調配管Ｐを被取付体である壁Ｗに取り付け固定している状態を示す説明図である。
【図３】第一実施例の冷媒管支持部材を使用して、ペアー冷媒管の一例である空調配管Ｐを取り付け固定した状態を示す説明図であり、冷媒管外周の全面がカバー体で覆われている。
【図４】  本発明の他の実施例の冷媒管支持部材をしめす正面図ある。
【図５】  本発明のまた他の実施例の冷媒管支持部材をしめす正面図ある。
【図６】  本発明のまた他の実施例の冷媒管支持部材をしめす正面図ある。
【図７】  本発明のまた他の実施例の冷媒管支持部材をしめす正面図ある。
【図８】  本発明のまた他の実施例の冷媒管支持部材をしめす正面図ある。
【図９】  本発明のまた他の実施例の冷媒管支持部材をしめす平面図ある。
【図１０】  本発明のまた他の実施例の冷媒管支持部材をしめす側面図ある。  
【図１１】  特開平７−１９５２９号公報に掲載の冷媒管固定構造を示す概略斜視図である。
【符号の説明】
１…エアコン用冷媒管
１ａ…ペアー冷媒管
２…固定部
２ａ…立設部
２ｂ…長孔
２ｃ…穴
３…支持材
４…係止部
４ａ…透孔
５…取付部
１０…エアコン用冷媒管の支持部材
２０…従来の固定部材装置
２１…支持部材
２２…カバー部材
２３…取付け部材
２４…固定ビス
Ｐ…冷媒管
【図１】
0003613655.tif 000002
【図２】
0003613655.tif 000003
【図３】
0003613655.tif 000004
【図４】
0003613655.tif 000005
【図５】
0003613655.tif 000006
【図６】
0003613655.tif 000007
【図７】
0003613655.tif 000008
【図８】
0003613655.tif 000009
【図９】
0003613655.tif 000010
【図１０】
0003613655.tif 000011
【図１１】
0003613655.tif 000012